(57)【要約】      （修正有）【課題】キャップを、一定の力で、かつ中心部位を継続して押圧でき、かつキャップを、確実な力で、かつ継続して押圧できることで、消毒薬を、均一で、かつ少量の使用で目的を達成できる足踏み式消毒殺菌用の噴霧装置を提供する。【解決手段】ベース１に立設したガイドパイプ３に上下動可能に貫設したロッド５と、ロッド５の下端貫設部と、ベース１のペダル２との間に設けた、ロッド５の昇降用リンク機構と、ロッド５の復帰を司るスプリングと、ロッド５の自由端貫設部に設けたプッシュ機構１１と、ガイドパイプ３の上方に設けた消毒ポット載板１３とで構成し、プッシュ機構１１と、消毒ポット載板１３とが、ペダル２に乗せる足の上方であって、ロッド５・ガイドパイプ３の軸芯の同じ放射方向に設置する足踏み式消毒殺菌用の噴霧装置である。【選択図】図１
0003188014.tif 000002
【実用新案登録請求の範囲】
【請求項１】
ベースに立設されたガイドパイプと、このガイドパイプに上下動可能に貫設したロッドと、このロッドの下端貫設部と、前記ベースに設けたペダルとの間に設けた、当該ロッドの昇降を司るリンク機構と、このロッドの復帰を司るスプリングと、当該ロッドの自由端貫設部に設けたプッシュ機構と、前記ガイドパイプの上方に設けた消毒ポット載板とで構成し、
前記プッシュ機構と、前記消毒ポット載板とを、前記ペダルに乗せる足の上方であって、前記ロッド、及び前記ガイドパイプの軸芯の同じ放射方向に設置する構成とした足踏み式消毒殺菌用の噴霧装置。
【請求項２】
請求項１に記載の前記リンク機構は、前記ペダルの下面と前記ロッドの下端貫設部との間に装着されており、このペダルに設けた鍵形の第一リンクと、この第一リンクに一端を、このロッドに設けた鍵形の第三リンクに他端を、それぞれ枢着した板状の第二リンクとでなる構成とした足踏み式消毒殺菌用の噴霧装置。
【請求項３】
請求項１に記載の前記プッシュ機構は、前記ロッドに昇降自在に設けられる構成とした足踏み式消毒殺菌用の噴霧装置。
【請求項４】
請求項１に記載の前記消毒ポット載板は、前記ガイドパイプに昇降自在に設けられる構成とした足踏み式消毒殺菌用の噴霧装置。
【請求項５】
請求項１に記載の前記プッシュ機構は、前記上下動可能のロッドに嵌合されるスリーブと、このスリーブに螺着した止め具と、当該スリーブの軸方向の放射方向に設けた山形形状のプッシュ板と、このプッシュ板の垂下方向に設けたプッシュ片とで構成した足踏み式消毒殺菌用の噴霧装置。
【考案の詳細な説明】
【技術分野】
【０００１】
本考案は、足踏み式消毒殺菌用の噴霧装置に関する。
【背景技術】
【０００２】
この種の足踏み式（手指）消毒殺菌用の噴霧装置は、上から消毒液容器のポンプを押すタイプと、消毒液容器を押上げてポンプを押すタイプとに大別される。本考案は、前者に属する。
【０００３】
そして、この消毒液容器のポンプを押すタイプとしては、下記に挙げる各種の文献がある。文献（１）は、ペダルとワイヤとで、ポンプ押え板を上下方向に可動する考案（実公平６−３６８２１号公報）である。しかし、この考案は、ワイヤであることから、ポンプ押え板の可動の正確性に問題があると考えられる。文献（２）は、ペダルとプッシュロッド、並びにレバーとで、ポンプ押え板を上下方向に可動する発明（特開平１０−９９７３９号公報）である。しかし、この発明は、プッシュロッドが傾斜状態であることから、ポンプ押え板の可動の正確性に問題があると考えられる。また、文献（３）は、ペダルと、ロッドと、このロッドの上端に設けたクランク機構が可動し、ポンプ押え部を可動する発明（特開２００８−２２９２９６号公報）である。しかし、この発明は、ポンプ押え部の可動端は円弧軌跡をする構造であり、ポンプ押え部の可動の正確性に問題があると考えられる。
【０００４】
【特許文献１】実公平６−３６８２１号公報
【特許文献２】特開平１０−９９７３９号公報
【特許文献３】特開２００８−２２９２９６号公報
【考案の概要】
【考案が解決しようとする課題】
【０００５】
前述した各文献は、ワイヤ、ロッド等の可動の正確性に問題があり、ポンプ押え部を、一定の力で、かつ中心部位を継続して押圧する構造でない。従って、ポンプ押え部を、一定の力で、かつ中心部位を継続して押圧する構造を提案することで、当該ポンプ押え部を、確実な力で、かつ継続して押圧し、もって、消毒薬を、均一で、かつ少量の使用で目的を達成することを目的とする。また、ロッドの上下動を、同じ軸芯位置において行えるリンク機構を採用し、ポンプ押え部の動きを、保証することで、消毒薬を、最初から最後まで、均一に噴射できるようにすることを目的とする。
【課題を解決するための手段】
【０００６】
前述したように、ポンプ押え部（キャップ）を、確実な力で、かつ継続して押圧することと、キャップの動きを、保証すること、等を意図して、請求項１〜５の構造を提案する。
【考案の効果】
【０００７】
請求項１の考案は、ベースに立設されたガイドパイプと、ガイドパイプに上下動可能に貫設したロッドと、ロッドの下端貫設部と、ベースに設けたペダルとの間に設けた、ロッドの昇降を司るリンク機構と、ロッドの復帰を司るスプリングと、ロッドの自由端貫設部に設けたプッシュ機構と、ガイドパイプの上方に設けた消毒ポット載板とで構成し、
プッシュ機構と、消毒ポット載板とを、ペダルに乗せる足の上方であって、ロッド、及びガイドパイプの軸芯の同じ放射方向に設置する構成とした足踏み式消毒殺菌用の噴霧装置である。
【０００８】
従って、請求項１は、プッシュ機構と、消毒ポット載板とを、ペダルに乗せる足の上方であって、ロッド、及び前記ガイドパイプの軸芯の同じ放射方向に設置する構成により、キャップを、一定の力で、かつ中心部位を継続して押圧でき、かつキャップを、確実な力で、かつ継続して押圧できることで、消毒薬を、均一で、かつ少量の使用で目的を達成できる。
【０００９】
また請求項１は、ベースに立設されたガイドパイプと、ガイドパイプに上下動可能に貫設したロッドと、ロッドの下端貫設部と、ベースに設けたペダルとの間に設けた、ロッドの昇降を司るリンク機構と、ロッドの復帰を司るスプリングと、ロッドの自由端貫設部に設けたプッシュ機構と、ガイドパイプの上方に設けた消毒ポット載板とで構成することにより、ロッドの上下動を、同じ軸芯位置において行えることにより、キャップの動きを、保証できることで、消毒薬を、最初から最後まで、均一に噴射できる。
【００１０】
請求項２の考案は、請求項１に記載のリンク機構は、ペダルの下面とロッドの下端貫設部との間に装着されており、ペダルに設けた鍵形の第一リンクと、第一リンクに一端を、ロッドに設けた鍵形の第三リンクに他端を、それぞれ枢着した板状の第二リンクとでなる構成とした足踏み式消毒殺菌用の噴霧装置である。
【００１１】
従って、請求項２は、請求項１の効果を達成できるリンク機構の好ましい一例を提供できる。
【００１２】
請求項３の考案は、請求項１に記載のプッシュ機構は、ロッドに昇降自在に設けられる構成とした足踏み式消毒殺菌用の噴霧装置である。
【００１３】
従って、請求項３は、請求項１の効果を達成できるプッシュ機構の好ましい一例を提供できる。
【００１４】
請求項４の考案は、請求項１に記載の消毒ポット載板は、ガイドパイプに昇降自在に設けられる構成とした足踏み式消毒殺菌用の噴霧装置である。
【００１５】
従って、請求項４は、請求項１の効果を達成できる消毒ポット載板の好ましい一例を提供できる。
【００１６】
請求項５の考案は、請求項１に記載のプッシュ機構は、上下動可能のロッドに嵌合されるスリーブと、スリーブに螺着した止め具と、スリーブの軸方向の放射方向に設けた山形形状のプッシュ板と、プッシュ板の垂下方向に設けたプッシュ片とで構成した足踏み式消毒殺菌用の噴霧装置である。
【００１７】
従って、請求項５は、請求項１の効果を達成できるプッシュ機構の具体的な一例を提供できる。
【図面の簡単な説明】
【００１８】
【図１】本考案の全体の一部欠截の俯瞰図
【図２】本考案の使用状態を想定した全体の一部欠截の俯瞰図
【図３−１】本考案のベースとペダル並びにリンク機構とを示した要部拡大斜視図
【図３−２】本考案のベースとペダル並びにリンク機構の使用状態を想定した要部拡大斜視図
【図４】図３−１に示したベースとペダル並びにリンク機構の拡大斜視図
【図５−１】本考案の消毒ポット載板とガイドパイプとの一例を示した拡大俯瞰図
【図５−２】本考案の消毒ポット載板とガイドパイプとの他の一例を示した拡大俯瞰図
【考案を実施するための形態】
【００１９】
１は方形状のベースで、このベース１は、例えば、スリップ防止ゴムを備えた二本のパイプ１００、１００（対は、一方を表示かつ説明する）と、このパイプ１００を跨ぐように併設した二枚の平板１０１−１、１０１−２と、一方の平板１０１−２に膨出形成した山部１０２とで構成する。
【００２０】
この平板１０１−２と山部１０２の切欠部１０２ａとの間には、ペダル２が設置されており、ペダル２を踏むと、切欠部１０２ａに位置する先端２ａが沈み込む構造である。尚、基端２ｂは、平板１０１−１に枢着されている。
【００２１】
また、山部１０２の頂面１０２ｂにはガイドパイプ３が立設されている。このガイドパイプ３には、ロッド５が貫設しており、その下端貫設部５ａが、山部１０２の頂面１０２ｂの下側に達している。また、その上端貫設部５ｂが、ガイドパイプ３より突出する。
【００２２】
ロッド５の下端貫設部５ａが、頂面１０２ｂの下側に達していることを利用し、この下端貫設部５ａの下端には、平板１０１−２に基端６ａを設けたスプリング６の自由端６ｂが、固定されている。従って、ペダル２を踏み込むことで、後述するリンク機構を介して、ロッド５が下降するとともに、スプリング６を圧縮する構造となっている（図２と、図３−２参照）。また、ペダル２の踏み込みを開放することで、スプリング６が復帰するとともに、後述するリンク機構を介して、ロッド５が上昇する構造となっている（図１と、図３−１参照）。即ち、ロッド５の上下動は、スプリング６とリンク機構を利用し、かつガイドパイプ３のガイドを介して、軸芯に沿って、確実、かつスムースに行われる。尚、ロッド５の下端貫設部５ａの下端面と、平板１０１−２の表面との間には、ロッド５が下降できるスペース７を設ける。従って、このスペース７分、ロッド５が降下する。そして、この例では、ロッド５、及び／又は、スプリング６の確実な動きを保証するために、平板１０１−２に設けたガイド杆８が、スプリング６とロッド５内に立設されている。尚、ガイド杆８は、設けることが望ましいが、一例である。
【００２３】
図中１０はリンク機構で、このリンク機構１０は、図３−１〜図４に示した如く、ペダル２の下面とロッド５の下端貫設部５ａとの間に枢着されており、このリンク機構１０は、例えば、ペダル１の下面に設けた鍵形の第一リンク１０００と、この第一リンク１０００に一端を枢着した板状の第二リンク１００１と、この第二リンク１００１の他端に一端を枢着し、ロッド５に他端を設けた（第二リンク１００１とロッド５との間に設けた）鍵形の第三リンク１００２と、で構成されており、ペダル２の円弧状の動きを、第二リンク１００１を介在して、第三リンク１００２の上下動に変換し（上下の動きに制御し）、ロッド５が、ガイドパイプ３内を、軸芯方向に倣って、上下動する構造である（ロッド５が傾くこと、又はぶれることがない）。
【００２４】
また、図中１１はロッド５の上端貫設部５ｂに設けたプッシュ機構で、このプッシュ機構１１は、図示の如く、ロッド５に嵌合される筒状のスリーブ１１００と、このスリーブ１１００に螺着した止め具１１０１と、スリーブ１１００の軸芯方向の放射方向に設けた山形形状のプッシュ板１１０２と、このプッシュ板１１０２の垂下方向に設けたプッシュ片１１０３と、このプッシュ片１１０３に設けた消毒ポット１２のノズル１２００を挟持する切欠部１１０４とで構成する。スリーブ１１００と止め具１１０１とを利用して、ロッド５の適宜位置に移動、かつ止め具１１０１を、切欠平面部５ｃに緊締し、固定する。以上の構造であるので、ロッド５が上下動することで、プッシュ機構１１が同期して上下動する。例えば、プッシュ機構１１が下動して、プッシュ片１１０３が、消毒ポット１２のキャップ１２０１を押圧することで、ノズル１２００から消毒液が噴射される。また、プッシュ機構１１が上動して、プッシュ片１１０３による、消毒ポット１２のキャップ１２０１への押圧解除で、ノズル１２００からの消毒液の噴射が停止される。
【００２５】
１３は消毒ポット載板で、この消毒ポット載板１３は、図５−１と、図５−２に示した構造がある。この図５−１の例では、ロッド５に消毒ポット載板１３の載板１３００に設けた開口１３０１を差込み、溶接等を利用して固定する構造である。また、図５−２は、ロッド５に嵌合される筒状のスリーブ１３０２と、このスリーブ１３０２に螺着した止め具１３０３と、スリーブ１３０２の軸芯方向の放射方向に設けた載板１３００とで構成する。従って、止め具１３０３の緊締を開放し、消毒ポット載板１３を、スリーブ１３０２を利用して、ロッド５の適所に移動し、その位置で、止め具１３０３を、切欠平面部５ｃに緊締し、固定する。このような操作により、消毒ポット載板１３を、自由に移動できる構成であり、消毒ポット１２の大小に対応できる。
【００２６】
そして、このプッシュ機構１１と、消毒ポット載板１３とは、前記ペダル２に乗せる足の上方であって、前記ロッド５、及び前記ガイドパイプ３の軸芯Ａの同じ放射方向に設置する構成である（図１、図２参照）。
【００２７】
以下、本考案の使用方法の一例を説明すると、消毒ポット載板１３の載板１３００に消毒ポット１２を載せるとともに、プッシュ機構１１を、前述のように上下動し、プッシュ片１１０３を、このキャップ１２０１に当接する。この状態が、通常の噴霧装置に、消毒ポット１２がセットされた状態であり、いつでも、消毒ポット１２より消毒液が噴霧できる。
【００２８】
この噴霧装置の使用者が、ペダル２を図２の矢視の如く、踏む込むことにより、リンク機構１０を介して、ロッド５がガイドパイプ３内を降下する。この降下に同期して、プッシュ片１１０３が降下することで、キャップ１２０１を押下げることから、ノズル１２００より、消毒液が噴霧される構造である。尚、ペダル２の踏む込みを停止すれば、前述の動きの逆となり、噴霧は終わる。
【００２９】
前述した各構造は、本考案の好ましい一例の説明である。従って、本考案は前述した各実施例に限定されるものではなく、考案の趣旨の範囲において構成の一部を変更する構造とか、同じ特徴と効果を達成できる構造、等は、本考案の範疇である。
【符号の説明】
【００３０】
１            ベース
１００        パイプ
１０１−１    平板
１０１−２    平板
１０２        山部
１０２ａ      切欠部
１０２ｂ      頂面
２            ペダル
２ａ          先端
２ｂ          基端
３            ガイドパイプ
５            ロッド
５ａ          下端貫設部
５ｂ          上端貫設部
５ｃ          切欠平面部
６            スプリング
６ａ          基端
６ｂ          自由端
７            スペース
８            ガイド杆
１０          リンク機構
１０００      第一リンク
１００１      第二リンク
１００２      第三リンク
１１          プッシュ機構
１１００      スリーブ
１１０１      止め具
１１０２      プッシュ板
１１０３      プッシュ片
１１０４      切欠部
１２          消毒ポット
１２００      ノズル
１２０１      キャップ
１３          消毒ポット載板
１３００      載板
１３０１      開口
１３０２      スリーブ
１３０３      止め具
Ａ            軸芯
【図１】
0003188014.tif 000003
【図２】
0003188014.tif 000004
【図３−１】
0003188014.tif 000005
【図３−２】
0003188014.tif 000006
【図４】
0003188014.tif 000007
【図５−１】
0003188014.tif 000008
【図５−２】
0003188014.tif 000009